(57)【要約】  【課題】  予め定めた種々の撮影手順に従って自動的に撮影することを可能とし、またそのような撮影手順を定めた撮影手順プログラムそのものの作成，変更等もコンピュータプログラムに関する専門的な知識を要せずに容易に可能とした撮影装置を提供する。  【解決手段】  モニタ１８の画面に表示される種々の制御項目を操作部２５の操作により対話的に設定することにより、時系列的に制御項目の設定状態が変わる撮影手順プログラムをユーザが作成することができる。そして、このようなユーザが作成した撮影手順プログラムに従って制御部２４が時系列的に制御項目の設定状態を変えつつ自動的に撮影を行なう。【選択図】        図２
2006203691.tif 000002
【特許請求の範囲】
【請求項１】
露出制御機構及び光学ズーム機構を有し、被写体の光学像を取得する光学像取得手段と、
該光学像取得手段が取得した光学象を電気的な映像信号として取得する撮像手段と、
前記撮像手段が取得した映像信号の記録処理を行なう記録手段と、
前記露出制御機構，前記光学ズーム機構，及び前記記録手段を制御する制御手段と、
該制御手段に前記露出制御機構，前記光学ズーム機構，及び前記記録手段を制御させるための指示を外部から受け付ける受付手段と
を備えた撮影装置において、
撮影の手順を定めた撮影手順情報を記憶する撮影手順記憶手段を備え、
前記制御手段は、前記撮影手順記憶手段が記憶している撮影手順情報に従って、前記露出制御機構，前記光学ズーム機構，及び前記記録手段を制御するように構成してあること  を特徴とする撮影装置。
【請求項２】
前記撮影手順情報は、前記露出制御機構による露出値，前記光学ズーム機構のズーム倍率，及び前記記録手段による映像信号の記録処理それぞれを前記制御手段に時系列的に制御させるように定められていることを特徴とする請求項１に記載の撮影装置。
【請求項３】
前記露出制御機構は、絞り機構及びシャッタ機構を有し、
前記撮影手順情報は、前記絞り機構の絞り値及びシャッタ機構のシャッタ速度それぞれを個別に前記制御手段に時系列的に制御させるように定められていることを特徴とする請求項１に記載の撮影装置。
【請求項４】
前記撮影手順情報は、前記光学ズーム機構のズーム倍率を前記制御手段に時系列的に制御させるように定められていることを特徴とする請求項１に記載の撮影装置。
【請求項５】
前記撮影手順情報は、前記記録手段による映像信号の記録処理を前記制御手段に時系列的に制御させるように定められていることを特徴とする請求項１に記載の撮影装置。
【請求項６】
前記光学像取得手段はフォーカス制御機構を備え、
前記撮影手順情報は、前記フォーカス制御機構によるフォーカス位置を前記制御手段に時系列的に制御させるように定められていることを特徴とする請求項１に記載の撮影装置。
【請求項７】
照明手段を更に備え、
前記撮影手順情報は、前記照明手段のオン／オフを前記制御手段に時系列的に制御させるように定められていることを特徴とする請求項１に記載の撮影装置。
【請求項８】
表示装置を更に備え、
前記受付手段は、前記表示装置に表示された画像上の任意の位置を指定する指示を受け付ける手段を有し、該手段により指定された前記画像上の位置に任意の文字及び／又は数字を入力させる指示を外部から受け付けるように構成されており、
前記制御手段は、前記撮影手順情報により制御可能な制御項目を前記表示装置に表示する制御と、前記表示装置に表示された前記撮影手順情報による制御項目の表示状態を前記受付手段が受け付けた指示に応じて変更する制御と、変更された後の表示状態を撮影手順情報として前記撮影手順記憶手段に記憶させる制御とを行なうように構成してあること
を特徴とする請求項１乃至７のいずれか一つに記載の撮影装置。
【請求項９】
前記撮影手順記憶手段は、前記表示装置に表示される制御項目をグループ化したテンプレートを予め複数記憶しており、
前記制御手段は、前記受付手段が受け付けた指示に応じて前記撮影手順記憶手段が記憶している複数のテンプレートの内のいずれか一つを前記表示装置に表示する制御を行なうように構成してあること
を特徴とする請求項８に記載の撮影装置。
【請求項１０】
前記制御項目は、前記露出制御機構の絞り機構の絞り値及びシャッタ機構のシャッタ速度，前記記録手段による映像信号の記録処理，前記光学ズーム機構のズーム倍率，前記フォーカス制御機構によるフォーカス位置，前記照明手段のオン／オフのいずれか一つ又は複数を含み、
前記制御手段は、前記受付手段が受け付けた指示に応じて前記各制御項目の設定値を制御開始時点からの経過時間に対応付けて設定した撮影手順情報を生成するように構成してあること
を特徴とする請求項９に記載の撮影装置。
【発明の詳細な説明】
【技術分野】
【０００１】
本発明は、静止画像及び／又は動画像を撮影する撮影装置に関し、より詳細にはユーザが通常操作可能な種々の制御項目を自動的に制御して撮像を行なう撮影装置に関する。
【背景技術】
【０００２】
近年のＩＴ技術の進歩に伴なって、撮影装置（いわゆるデジタルスチルカメラ，ビデオカメラ）も高性能化，高機能化すると共に低価格化して多くのユーザに普及している。しかし、高機能化に伴なって、一般的なユーザにとっては逆に使用し難くなっていることは否めない。また一方では、撮影装置の操作に習熟するに伴なってより高度な撮影を行ないたいという要求をユーザが持つことも当然のことである。
【０００３】
両者の要求を満足させるためにはたとえば撮影手順をいわゆるプログラム化することが考えられる。初心者にとっては予め用意されているプログラム化された撮影手順を利用することによって、面倒な種々の設定を行なわずともある程度には満足できる撮影結果が得られると共に、より高度な撮影を望むユーザにとっては種々の特殊な撮影技術をプログラム化することによって、特殊な訓練を積む必要無しにかなり高度な撮影結果を得ることが可能になっている。
【０００４】
上述のような目的で、スチルカメラでは従前の銀塩フィルムを使用する時代から撮影時の露出（絞り値及びシャッタスピード）、フォーカス（焦点合わせ）をプログラム化した全自動カメラが実用化されており、動画撮影を主体とするビデオカメラでも露出、フォーカスに関してはプログラム化により自動化されている。また、人物のポートレートを撮影する場合に、フレーム内で被写体である人物がほどよい大きさにおさまるように自動的にズーム倍率を調整するように構成されたスチルカメラも存在する。
【０００５】
しかし上述のような技術は単にユーザが撮影を行なう際に面倒な露出調整及びフォーカス調整等を自動化するためのみの技術であり、撮影手順そのものを自動化する技術としてはスチルカメラのセルフタイマが存在する程度であった。
【０００６】
このような事情からたとえば特許文献１に開示されているようなビデオカメラ装置の発明がなされている。この特許文献１に開示されている発明では、「自動録画」を指定することによって、プログラムで指定されている設定条件に従って各部の設定が行なわれると共に、設定時刻において映像信号の記録を開始するように構成されている。またプログラムは、ＰＣカードに記録されており、パーソナルコンピュータで作成，修正等をしたプログラムをＰＣカードに書き込むことによりアップデートする構成をとっている。
【０００７】
また特許文献２には、デジタルスチルカメラをプログラム制御する技術が開示されている。この特許文献２に開示されている発明では、一単位のプログラムと見なされる「自動動作ファイル」に記述されたコマンドに従ってデジタルスチルカメラが自動制御される構成である。従って、自動制御ファイルを複数用意することによって複数の異なる手順でデジタルスチルカメラを制御することが可能である。
【特許文献１】特開平１１−３４１３３９号公報
【特許文献２】特開２００３−２５０１２０号公報
【発明の開示】
【発明が解決しようとする課題】
【０００８】
しかし、上述の特許文献１に開示されている発明では、自動録画、即ちプログラムで指定された時刻に録画を開始し、その際の種々の設定条件を予めプログラムで指定することが可能であるが、それ以上の複雑な制御を行なうことは想定されていない。換言すれば、特許文献１に開示されている発明では、ビデオデッキの予約録画と実質的に同様の技術内容である。このことはビデオカメラが実質的にビデオデッキと同様の構成を有していることを鑑みれば、単にビデオデッキに使用されている予約録画の技術をビデオカメラに適用したに過ぎず、当業者にとっては容易に想到可能な範囲であるといわざるを得ない。
【０００９】
また特許文献２に開示されている発明では、主として動画を撮影するビデオカメラではなくデジタルスチルカメラを対象としており、またプログラムが記述されている自動動作ファイルは外部で作成されてインタフェイスを介してデジタルスチルカメラへ入力される構成を採っている。また自動動作ファイル自体はテキストファイルとして外部で事前に作成しておく必要があり、従ってコンピュータプログラムを作成するために必要な知識をある程度は有するユーザにしか自動動作ファイルを作成することができない。このことは、通常の単に撮影ができればよいという程度のユーザには困難なことである。特許文献２に開示されている発明がこのような一般のユーザには困難と思われる自動動作ファイルを使用している理由は、種々のデジタルスチルカメラに対して汎用的に使用可能なプログラム（自動動作ファイル）を提供するという目的に起因していると思われる。しかしこのような配慮は一般のユーザにはかえって不便を強いる結果となっている。
【００１０】
本発明は以上のような事情に鑑みてなされたものであり、撮影装置をプログラム制御することによって、予め定めた種々の撮影の手順に従って自動的に撮影を可能とし、またそのような撮影手順をプログラム化した撮影手順情報そのものの作成，変更等もコンピュータプログラムに関する専門的な知識を要せずに容易に可能とした撮影装置の提供を主たる目的とする。
【課題を解決するための手段】
【００１１】
本発明に係る撮影装置は端的には、ユーザが種々の制御項目を時系列的に設定したプログラム化された撮影手順情報を対話形式で容易に作成可能であること、及びそのような情報に従って時系列的に制御項目の設定状態を変えつつ自動的に撮影を行なう構成としたものである。
【００１２】
本発明に係る撮影装置は、露出制御機構及び光学ズーム機構を有し、被写体の光学像を取得する光学像取得手段と、該光学像取得手段が取得した光学象を電気的な映像信号として取得する撮像手段と、前記撮像手段が取得した映像信号の記録処理を行なう記録手段と、前記露出制御機構，前記光学ズーム機構，及び前記記録手段を制御する制御手段と、該制御手段に前記露出制御機構，前記光学ズーム機構，及び前記記録手段を制御させるための指示を外部から受け付ける受付手段とを備えた撮影装置において、撮影の手順を定めた撮影手順情報を記憶する撮影手順記憶手段を備え、前記制御手段は、前記撮影手順撮影手順記憶手段が記憶している撮影手順情報に従って、前記露出制御機構，前記光学ズーム機構，及び前記記録手段を制御するように構成してあることを特徴とする。
【００１３】
このような本発明の撮影装置では、撮影手順記憶手段に記憶されている撮影手順情報に従って、少なくとも露出制御機構，光学ズーム機構，及び記録手段を制御して自動的に撮影を行ない、記録する。
【００１４】
また本発明に係る撮影装置は上記の撮影装置において、前記撮影手順情報は、前記露出制御機構による露出値，前記光学ズーム機構のズーム倍率，及び前記記録手段による映像信号の記録処理それぞれを前記制御手段に時系列的に制御させるように定められていることを特徴とする。
【００１５】
このような本発明に係る撮影装置では上記の撮影装置において、撮影手順記憶手段に記憶されている撮影手順情報に従って自動的に種々の制御項目の設定状態を時系列的に変えつつ撮影を行ない、記録する。
【００１６】
また本発明に係る撮影装置は上記の撮影装置の発明において、前記露出制御機構は、絞り機構及びシャッタ機構を有し、前記撮影手順情報は、前記絞り機構の絞り値及びシャッタ機構のシャッタ速度それぞれを個別に前記制御手段に時系列的に制御させるように定められていることを特徴とする。
【００１７】
このような本発明に係る撮影装置では上記の撮影装置の発明において、撮影手順情報に従って絞り機構の絞り値及びシャッタ機構のシャッタスピードの設定状態を自動的に変えつつ撮影を行ない、記録する。
【００１８】
また本発明に係る撮影装置は上記の撮影装置の発明において、前記撮影手順情報は、前記光学ズーム機構のズーム倍率を前記制御手段に時系列的に制御させるように定められていることを特徴とする。
【００１９】
このような本発明に係る撮影装置では上記の撮影装置の発明において、撮影手順情報に従って光学ズーム機構のズーム倍率の設定状態を自動的に変えつつ撮影を行ない、記録する。
【００２０】
更に本発明に係る撮影装置は上記の撮影装置の発明において、前記撮影手順情報は、前記記録手段による映像信号の記録処理を前記制御手段に時系列的に制御させるように定められていることを特徴とする。
【００２１】
このような本発明に係る撮影装置では上記の撮影装置の発明において、撮影手順情報に従って映像信号の記録媒体への記録状態を自動的に変えつつ撮影を行ない、記録する。
【００２２】
また更に本発明に係る撮影装置は上記の撮影装置の発明において、前記光学像取得手段はフォーカス制御機構を備え、前記撮影手順情報は、前記フォーカス制御機構によるフォーカス位置を前記制御手段に時系列的に制御させるように定められていることを特徴とする。
【００２３】
このような本発明に係る撮影装置では上記の撮影装置の発明において、撮影手順情報に従ってフォーカス機構のフォーカス位置の状態を自動的に変えつつ撮影を行ない、記録する。
【００２４】
更にまた本発明に係る撮影装置は上記の撮影装置の発明において、照明手段を更に備え、前記撮影手順情報は、前記照明手段のオン／オフを前記制御手段に時系列的に制御させるように定められていることを特徴とする。
【００２５】
このような本発明に係る撮影装置では上記の撮影装置の発明において、撮影手順情報に従って照明手段の状態を自動的に変えつつ撮影を行ない、記録する。
【００２６】
また更に、本発明に係る撮影装置は上記の撮影装置の発明のいずれか一つにおいて、表示装置を更に備え、前記受付手段は、前記表示装置に表示された画像上の任意の位置を指定する指示を受け付ける手段を有し、該手段により指定された前記画像上の位置に任意の文字及び／又は数字を入力させる指示を外部から受け付けるように構成されており、前記制御手段は、前記撮影手順情報により制御可能な制御項目を前記表示装置に表示する制御と、前記表示装置に表示された前記撮影手順情報による制御項目の表示状態を前記受付手段が受け付けた指示に応じて変更する制御と、変更された後の表示状態を撮影手順情報として前記撮影手順記憶手段に記憶させる制御とを行なうように構成してあることを特徴とする。
【００２７】
このような本発明に係る撮影装置では上記の撮影装置の発明のいずれかにおいて、表示装置に表示された画像上で種々の制御項目の設定を変更することにより、撮影手順情報が作成され、撮影手順記憶手段に記憶される。
【００２８】
また更に本発明に係る撮影装置は上記の撮影装置の発明において、前記撮影手順記憶手段は、前記表示装置に表示される制御項目をグループ化したテンプレートを予め複数記憶しており、前記制御手段は、前記受付手段が受け付けた指示に応じて前記撮影手順記憶手段が記憶している複数のテンプレートの内のいずれか一つを前記表示装置に表示する制御を行なうように構成してあることを特徴とする。
【００２９】
このような本発明に係る撮影装置では上記の撮影装置の発明において、撮影手順情報の作成に必要な種々の制御項目がグループ化された複数のテンプレートが表示装置に表示される。
【００３０】
また更に本発明に係る撮影装置は上記の撮影装置の発明において、前記制御項目は、前記露出制御機構の絞り機構の絞り値及びシャッタ機構のシャッタ速度，前記記録手段による映像信号の記録処理，前記光学ズーム機構のズーム倍率，前記フォーカス制御機構によるフォーカス位置，前記照明手段のオン／オフのいずれか一つ又は複数を含み、前記制御手段は、前記受付手段が受け付けた指示に応じて前記各制御項目の設定値を制御開始時点からの経過時間に対応付けて設定した撮影手順情報を生成するように構成してあることを特徴とする。
【００３１】
このような本発明に係る撮影装置では上記の撮影装置の発明において、予め用意されたテンプレートとして表示される画像上で種々の制御項目の設定を変更することにより、撮影手順情報が作成され、撮影手順記憶手段に記憶される。
【発明の効果】
【００３２】
以上のような本発明の撮影装置によれば、ユーザは撮影装置を自身で直接操作する必要なしに撮影手順記憶手段に記憶されている撮影手順に従って、少なくとも露出制御機構，光学ズーム機構，及び記録手段が自動的に制御されることにより、所望の撮影手順で撮影を行なうことができる。
【００３３】
また本発明に係る撮影装置によれば上記の撮影装置において、ユーザは撮影装置を自身で直接操作する必要なしに撮影手順記憶手段に記憶されている撮影手順情報に従って、少なくとも露出制御機構，光学ズーム機構，及び記録手段が時系列的に自動的に制御されることにより、所望の撮影手順で撮影を行なうことができる。
【００３４】
また本発明に係る撮影装置によれば上記の撮影装置の発明において、更に絞り機構の絞り値及びシャッタ機構のシャッタスピードの設定状態が撮影手順情報に従って時系列的に自動的に制御されることにより、所望の撮影手順で撮影を行なうことができる。
【００３５】
また本発明に係る撮影装置によれば上記の撮影装置の発明において、更に光学ズーム機構のズーム倍率の設定状態が撮影手順情報に従って時系列的に自動的に制御されることにより、所望の撮影手順で撮影を行なうことができる。
【００３６】
また本発明に係る撮影装置によれば上記の撮影装置の発明において、映像信号の記録媒体への記録状態が撮影手順情報に従って時系列的に自動的に制御されることにより、所望の撮影手順で撮影を行なうことができる。
【００３７】
また本発明に係る撮影装置によれば上記の撮影装置の発明において、フォーカス機構のフォーカス位置の状態が撮影手順情報に従って時系列的に自動的に制御されることにより、所望の撮影手順で撮影を行なうことができる。
【００３８】
また本発明に係る撮影装置によれば上記の撮影装置の発明において、照明手段の状態が撮影手順情報に従って時系列的に自動的に制御されることにより、所望の撮影手順で撮影を行なうことができる。
【００３９】
更に本発明に係る撮影装置によれば上記の撮影装置の発明のいずれかにおいて、表示装置に表示された画像上で種々の制御項目の設定を変更するという容易な操作により、撮影手順情報が作成される。
【００４０】
また本発明に係る撮影装置によれば上記の撮影装置の発明において、撮影手順情報の作成に必要な種々の制御項目がグループ化されたテンプレートが表示装置に表示されるので、ユーザはこのテンプレートを利用して容易な操作で撮影手順を設定することができる。
【００４１】
また本発明に係る撮影装置によれば上記の撮影装置の発明において、撮影手順情報の作成に必要な種々の制御項目がグループ化されたテンプレートが表示装置に表示されるので、ユーザは表示装置に表示された画像上で種々の制御項目の設定を変更するという更に容易な操作により、撮影手順を設定することができる。
【発明を実施するための最良の形態】
【００４２】
以下、本発明をその実施の形態を示す図面を参照して具体的に説明する。図１は本発明に係る撮影装置の一実施の形態としてのビデオカメラの外観を示す模式的斜視図であり、図１（ａ）は左後方から、図１（ｂ）は左前方からそれぞれ見た状態を示している。なお、本発明に係る撮影装置は基本的には動画撮影用のビデオカメラとして機能するが、後述するようにデジタルスチルカメラとしても機能する。
【００４３】
本発明に係る撮影装置としてのビデオカメラ１は、外観的には一般的なビデオカメラと同様であり、上部前端部に光学系１０のレンズ群１０Ｌの最前面のレンズが露出しており、上部後端部にはビューファインダ１９が備えられている。また、前端部の下部寄りの部分にはマイクロフォン２８が備えられている。更に、左側部には液晶表示パネルを使用した表示装置としてのモニタ１８がその前端部において本体に対して枢支されることにより、開閉可能に取り付けられている。なお、１８Ｓはモニタ１８の画面を、１９Ｓはビューファインダ１９の画面をそれぞれ示している。また、２０は音声を再生するためのスピーカである。
【００４４】
更に、モニタ１８を開いた場合に露出するビデオカメラ１の左側面には、ユーザがビデオカメラ１を直接手動で操作したり、種々の設定（後述する撮影手順プログラム等の設定を含む）を行なうために必要な種々のスイッチ，ボタン等が配設された操作部２５が備えられている。また、ビデオカメラ１の背面には動画を撮影するための動画撮影ボタン２５Ｍが、同じく上面には静止画を撮影するための静止画撮影ボタン２５Ｓがそれぞれ備えられている。
【００４５】
なお、２５ＺＴ，２５ＺＷは、詳細は後述するが、光学系１０のズーム機構をユーザが操作するためのボタンである。具体的には、ボタン２５ＺＴはレンズ群１０Ｌの全体としての焦点距離をテレ側（望遠側）へ移動させるためのテレボタンであり、ボタン２５ＺＷはレンズ群１０Ｌの全体としての焦点距離をワイド側（広角側）へ移動させるためのワイドボタンである。従って、ズーム機構はいわゆる電動ズームである。また、操作部２５、動画撮影用ボタン２５Ｍ、静止画撮影用ボタン２５Ｓ等の配置位置は一例であって、ビデオカメラ１の他の部分に配置されていてもよい。
【００４６】
動画撮影ボタン２５Ｍは後述する動画モード（映像信号を動画として撮影するモード）が設定されている場合にオン（具体的には、ユーザにより押圧操作）されることにより、映像信号を動画として記録するためのボタンであり（この際、通常はマイクロフォン２８から入力される音声も記録される）、オン状態でロックすることも可能である。即ち、動画モードが設定されている場合には本発明に係る撮影装置は動画撮影用のビデオカメラとして機能する。また静止画撮影ボタン２５Ｓは後述する静止画モード（映像信号を静止画として撮影するモード）が設定されている場合にオン（具体的には、ユーザにより押圧操作）されることにより、その時点の映像信号を静止画として記録するためのボタンである。この静止画撮影ボタン２５Ｓはオン状態でロックすることはできないが、オン操作し続けることにより所定時間間隔でのいわゆる連写が可能である。即ち、静止画モードが設定されている場合には本発明に係る撮影装置は静止画撮影用のデジタルスチルカメラとして機能する。
【００４７】
なお、ビデオカメラ１の背面の左下部寄りには静止画用の記録媒体である静止画メモリ２１Ｍが装着されている。具体的には、静止画メモリ２１Ｍは、ビデオカメラ１に内蔵された静止画記録部２１Ｒ（図２参照）としてのリーダ／ライタに脱着可能な不揮発性の記録媒体、たとえばスティック状又はカード状の半導体メモリ、超小型のハードディスクドライブ等がビデオカメラ１の背面に設けられているリーダ／ライタのスロットに挿入された状態で装着されている。なお、いうまでもないが、静止画メモリ２１Ｍは図示しないイジェクトボタンをユーザが押圧操作することにより、ビデオカメラ１から取り外すことが可能である。但し、静止画メモリ２１Ｍを備えることなしに、後述するハードディスクドライブ等のランダムアクセス可能な動画用の記録媒体２３（図２参照）と兼用する構成であってもよい。
【００４８】
また更に、ビデオカメラ１の上面の前端部寄りの部分にはアクセサリシュー２７が固定されている。このアクセサリシュー２７には図１に示す例では照明ユニット２６が取り付けられているが、他にたとえば高指向性のマイクロフォン等も装着可能である。照明ユニット２６は動画撮影時の照明として使用されるビデオライト２６Ｌと、静止画撮影時に使用されるフラッシュ２６Ｆとの双方を備えている。なお、ビデオライト２６Ｌは通常は動画モードが設定されている場合にユーザが所定のスイッチをオン操作することにより点灯する。また、フラッシュ２６Ｆは通常は静止画モードが設定されている場合にユーザが所定のスイッチのオン操作によりフラッシュ２６Ｆを使用するように設定した上で静止画撮影ボタン２５Ｓを操作した場合に、静止画撮影のタイミングに同調して発光する。
【００４９】
図２は図１に示した本発明に係る撮影装置としてのビデオカメラ１の内部構成例を示すブロック図である。なお、図２にその内部構成が示されている本発明に係る撮影装置は動画撮影用のいわゆるデジタルビデオカメラとして構成されているが、前述した如く静止画撮影用のデジタルスチルカメラとしての機能をも併せ持っている。また、この図２に示すブロック図では、映像／音声信号を実線で、制御信号を破線で示してある。
【００５０】
ビデオカメラ１の内部構成は、大きくは撮影系と、記録／再生系と、制御系とに分かれている。撮影系は、光学像取得手段としての光学系１０，撮像手段であるたとえばＣＣＤ等の撮像デバイス１１，マイクロフォン２８，カメラ信号処理部１２，ＮＴＳＣ（ＰＡＬ）信号処理部１３，モニタ１８，ビューファインダ１９，スピーカ２０等により構成されている。
【００５１】
光学系１０は映像を撮影するために、複数のレンズからなるレンズ群１０Ｌから被写体の光学像を入射させて撮像デバイス１１でアナログの映像信号に変換し、カメラ信号処理部１２へ出力する。光学系１０には、レンズ群１０Ｌに含まれるズーム用レンズを撮像デバイス１１に対して接離させることによりズーミングを行なうと共に、オートフォーカスが設定されている場合にはレンズ群１０Ｌに含まれるフォーカス用レンズの位置を調整してフォーカス制御を行なうズーム／フォーカス機構１０Ｚが備えられている。
【００５２】
なお、ズーム／フォーカス機構１０Ｚは前述したズームボタン２５ＺＴ，２５ＺＷの操作に応じて後述する制御部２４がアクチュエータ１０ＺＡを制御することにより、レンズ群１０Ｌに含まれるズーム用レンズに上述のような撮像デバイス１１に対して接離する動作を行なわせると共に同じくフォーカス用レンズを調整してフォーカス制御を行なう。但し、オートフォーカス制御が設定されていない場合には、ユーザが手動でフォーカス用レンズの位置調整を行なうマニュアルでのピント合わせが可能である。また光学系１０には機械的な絞り機構１０Ｉが備えられている。この絞り機構１０Ｉは制御部２４がアクチュエータ１０ＩＡを制御することにより、その開口量が変更されて絞り値（Ｆ値）が制御される。
【００５３】
撮像デバイス１１には駆動回路１１Ｄが備えられている。制御部２４が駆動回路１１Ｄを制御することにより、撮像デバイス１１が光学像を電気信号に変換するタイミング及び光学像を受光する時間を変化させる。換言すれば、撮像デバイス１１が光学像を受光する時間がシャッタスピードに相当する。従って、絞り機構１０Ｉの絞り値と撮像デバイス１１が光学像を受光する時間であるシャッタスピードとの双方によって露出機構による露出制御が行なわれる。
【００５４】
また、アクセサリシュー２７に照明ユニット２６が取り付けられている場合には、制御部２４がビデオライト２６Ｌ，フラッシュ２６Ｆそれぞれの駆動回路２６ＬＤ，２６ＦＤを制御することにより、それぞれを発光させる。なお、ビデオライト２６Ｌは動画モードが設定されている場合に所定のスイッチをユーザがオン状態に手動操作することにより点灯し、フラッシュ２６Ｆは静止画モードが設定されていて更にユーザが所定のスイッチをオン状態に手動操作している場合に静止画撮影ボタン２５Ｓがオンされると、それに同調して発光する。
【００５５】
カメラ信号処理部１２は、撮像デバイス１１から出力されるアナログの映像信号をデジタル映像信号に変換処理すると共にマイクロフォン２８から入力したアナログの音声信号もデジタル音声信号に変換し、デジタルの映像／音声信号として出力する。なお、前述したように、アクセサリシュー２７に高指向性のマイクロフォンが装着された場合には、マイクロフォン２８ではなく、アクセサリシュー２７に装着されたマイクロフォンからのアナログの音声信号をカメラ信号処理部１２が自動的に選択してデジタル音声信号に変換する。
【００５６】
ＮＴＳＣ（ＰＡＬ）信号処理部１３はカメラ信号処理部１２から出力されるデジタルの映像信号をＮＴＳＣ方式（又はＰＡＬ方式）のアナログのコンポジット信号に変換すると共にデジタルの音声をアナログの音声信号に変換し、アナログのコンポジット信号をビューファインダ１９及びモニタ１８へ、アナログの音声信号をスピーカ２０へそれぞれ出力する。また、ＮＴＳＣ（ＰＡＬ）信号処理部１３は記録媒体２３から読み出された再生映像をＮＴＳＣ方式（又はＰＡＬ方式）のアナログのコンポジット信号に変換すると共にデジタルの音声信号をアナログの音声信号に変換し、上述同様にアナログのコンポジット信号をビューファインダ１９及びモニタ１８へ、アナログの音声信号をスピーカ２０へそれぞれ出力する。但し、モニタ１８が閉じられている状態、即ちモニタ１８が本体の左側部に密着する状態にされている場合には、モニタ１８へのコンポジット信号及びスピーカ２０への音声信号の出力は行なわれない。
【００５７】
ビューファインダ１９及びモニタ１８はＮＴＳＣ（ＰＡＬ）信号処理部１３が変換して出力したＮＴＳＣ方式（又はＰＡＬ方式）のアナログのコンポジット信号を表示し、スピーカ２０はＮＴＳＣ（ＰＡＬ）信号処理部１３が変換して出力したアナログの音声信号を出力する。なお、動画モード及び静止画モードが設定されている映像信号の記録時にはスピーカ２０からの音声の再生は行なわれない。
【００５８】
記録／再生系は、映像／音声符号化部１４，映像／音声復号処理部１５，記録バッファ１６，再生バッファ１７，光ピックアップ２２，及びハードディスクドライブで構成された動画用の記録媒体２３等により構成されている。なお、記録媒体２３はハードディスクドライブに限らず、種々の記録媒体が利用可能であるが、ランダムアクセス可能な記録媒体であることが好ましい。他の例としては、たとえばＤＶＤドライブとＤＶＤとの組み合わせ等が好ましい。特に、ＤＶＤドライブとＤＶＤとを組み合わせて動画用の記録媒体２３として使用する場合には、静止画用の記録媒体である静止画メモリ２１Ｍと兼用しても、記録媒体としてのＤＶＤそのものをビデオカメラ１から取り出すことが可能である。なお、本実施の形態ではビデオカメラ１に記録媒体２３を内蔵する構成を採っているが、記録媒体２３を内蔵しない構成も可能である。記録媒体２３を内蔵しない場合には、ビデオカメラ１と有線又は無線通信によって接続された記録装置に動画, 静止画を記録するように構成すればよい。
【００５９】
映像／音声符号化部１４は、上述したカメラ信号処理部１２から出力されるデジタル映像／音声信号の内のデジタル映像信号を記録媒体２３に記録するためのたとえばＭＰＥＧ２等の符号化方式により制御部２４からの制御信号に従って符号化処理し、デジタル音声信号を記録媒体２３に記録するためのたとえばＰＣＭ等の符号化方式により制御部２４からの制御信号に従って符号化処理し、記録バッファ１６へ出力する。記録バッファ１６は、符号化映像／音声符号化部１４から出力される符号化映像／音声信号を一旦バッファリングした後に光ピックアップ２２へ出力する。
【００６０】
光ピックアップ２２は、記録バッファ１６にバッファリングされている符号化映像／音声信号を制御部２４からの制御信号に従って記録媒体２３に書き込んで記録し、また逆に記録媒体２３に記録されている符号化映像／音声信号を制御部２４からの制御信号に従って読み出して再生し、映像／音声復号処理部１５へ出力する。
【００６１】
再生バッファ１７は、光ピックアップ２２が記録媒体２３から読み出した符号化映像／音声信号をバッファリングした後に映像／音声復号処理部１５へ出力する。映像／音声復号処理部１５は、再生バッファ１７にバッファリングされている符号化映像／音声信号を制御部２４からの制御信号に従ってデジタル映像／音声信号に復号処理し、ＮＴＳＣ（ＰＡＬ）信号処理部１３へ出力する。
【００６２】
なお、映像／音声復号処理部１５により復号されたデジタル映像／音声信号は前述したＮＴＳＣ（ＰＡＬ）信号処理部１３に与えられるので、記録媒体２３から読み出された符号化映像／音声信号も最終的にはモニタ１８，ビューファインダ１９に表示され、スピーカ２０から再生出力される。
【００６３】
更に、ビデオカメラ１には静止画メモリ２１Ｍに静止画を記録するための静止画記録部２１Ｒが備えられている。なお、静止画メモリ２１Ｍと静止画記録部２１Ｒとは一体構成として装置内に内蔵されていてもよいが、前述したように、静止画メモリ２１Ｍはリーダ／ライタ等の静止画記録部２１Ｒに脱着可能な可搬型のスティック状、カード状の記録媒体であることが望ましい。静止画記録部２１ＲはＮＴＳＣ（ＰＡＬ）信号処理部１３と接続されており、制御部２４からの制御信号に従って、ＮＴＳＣ（ＰＡＬ）信号処理部１３が変換した１フレーム分のＮＴＳＣ方式（又はＰＡＬ方式）のアナログのコンポジット信号を静止画メモリ２１Ｍに静止画データとして記録する。
【００６４】
従って、静止画メモリ２１Ｍは、制御部２４からの制御信号が与えられた時点でモニタ１８及び／又はビューファインダ１９に表示されている画像と同一の画像を静止画として記録することができる。なおこの際、静止画記録部２１ＲはＮＴＳＣ（ＰＡＬ）信号処理部１３から与えられる１フレーム分のＮＴＳＣ方式（又はＰＡＬ方式）のアナログのコンポジット信号をたとえばＪＰＥＧ方式等の圧縮符号化方式で符号化して静止画メモリ２１Ｍに記録する。
【００６５】
制御部２４はＲＯＭ，ＲＡＭ等を内蔵したマイクロプロセッサであり、ＲＯＭに予め記録されている制御プログラムに従って上述したビデオカメラ１の各構成要素を制御し、その間に一時的に発生して記憶する必要がある種々のデータをＲＡＭに一時記憶する。また、操作部２５はユーザがビデオカメラ１を操作するために必要な種々のスイッチ，ボタン等を備えている。この操作部２５をユーザが操作することに対応して、ＲＯＭに記憶されている制御プログラムに従って制御部２４がビデオカメラ１を制御する。なお、ＲＯＭには後述する撮影手順プログラム作成プログラムも予め記憶されている。
【００６６】
参照符号２９はたとえばＦＲＡＭ（商品名），フラッシュメモリ，ＥＥＰＲＯＭ等の不揮発性半導体メモリ２９であり、撮影手順情報である撮影手順プログラムを記憶する撮影手順記憶手段として機能すると共に後述するテンプレート等をも予め記憶している。但し、不揮発性半導体メモリ２９に代えて記録媒体２３に撮影手順プログラム及びテンプレート等を記憶させる構成としてもよい。
【００６７】
次に、上述のような構成の本発明に係る撮影装置としてのビデオカメラ１の基本的な動作、具体的にはユーザが手動で操作する場合の動作について、制御部２４による処理手順を示す図３のフローチャートを参照して説明する。
【００６８】
ビデオカメラ１の電源が投入されている場合、制御部２４はカメラ信号処理部１２、ＮＴＳＣ（ＰＡＬ）信号処理部１３及びビューファインダ１９を制御することにより、光学系１０及び撮像デバイス１１で取得されたアナログの映像信号及び図示しないマイクロフォンから入力したアナログの音声信号をカメラ信号処理部１２で共にデジタルデータに変換させ、ＮＴＳＣ（ＰＡＬ）信号処理部１３でＮＴＳＣ方式（又はＰＡＬ方式）のアナログのコンポジット信号に変換させてビューファインダ１９に表示させる（ステップＳ１１）。なお、この場合にはマイクロフォンから入力した音声信号がスピーカ２０から再生されることはない。
【００６９】
ビデオカメラ１には撮影のためのモードとしては動画モードと静止画モードとが用意されており、操作部２５をユーザが操作することにより、いずれかのモードが設定される。静止画モードが設定されている場合（ステップＳ１２でＮＯ）、以下のような従来公知の静止画モードの処理が行なわれる（ステップＳ１３）。即ち、操作部２５の静止画撮影ボタン２５Ｓが操作されると、制御部２４から静止画メモリ２１Ｍへ制御信号が与えられることにより、その時点でＮＴＳＣ（ＰＡＬ）信号処理部１３から出力されてビューファインダ１９に表示されている映像の１フレーム分の信号が静止画メモリ２１Ｍへ出力されて記録される。
【００７０】
動画モードが設定されている場合（ステップＳ１２でＹＥＳ）、制御部２４は操作部２５の動画撮影ボタン２５Ｍがオンされるまで待機する（ステップＳ１４でＮＯ）。動画撮影ボタン２５Ｍがオンされると（ステップＳ１４でＹＥＳ）、制御部２４は映像／音声符号化部１４、光ピックアップ２２を制御することにより、カメラ信号処理部１２から出力されているデジタルの映像信号及び音声信号を映像／音声符号化部１４に符号化させ、この符号化された映像／音声信号の記録媒体２３への書き込み（記録）処理を光ピックアップ２２に開始させる（ステップＳ１５）。
【００７１】
この後、動画撮影ボタン２５Ｍがオフされると（ステップＳ１６でＹＥＳ）、映像信号の記録媒体２３への記録が停止される（ステップＳ１７）。
【００７２】
なお、上述のような動画モード、静止画モードのいずれにおいても、通常は制御部２４の制御により、露出制御、具体的には絞り機構１０Ｉの開度及び撮像デバイス１１の受光時間が調整されることによって適切な露出で映像信号が得られ、フォーカスも通常はいわゆるオートフォーカス制御が行なわれる。また、必要に応じてユーザが所定のスイッチを操作することにより、動画モードにおいてはビデオライト２６Ｌを点灯することが可能であり、また静止画モードにおいては静止画静止画撮影ボタン２５Ｓがオン操作されるタイミングに同調してフラッシュ２６Ｆが発光する。
【００７３】
ところで、本発明に係る撮影装置であるビデオカメラ１は上述したように、露出制御機構，ズーム機構，フォーカス制御機構，照明ユニット２６のビデオライト２６Ｌ及びフラッシュ２６Ｆ等が制御部２４により制御される構成である。このことは、ユーザが操作部２５及び動画撮影ボタン２５Ｍ，静止画撮影ボタン２５Ｓ，テレボタン２５ＺＴ，ワイドボタン２５ＺＷ等を直接操作せずとも、プログラムに従って制御部２４が制御可能であることを意味している。
【００７４】
従って、本発明に係る撮影装置は、予めプログラミングされている手順に従って自動的に撮影を行なうことが可能である。以下に、撮影手順を定めた撮影手順情報、即ち撮影手順プログラムを作成するための操作手順について、モニタ１８の画面（モニタ画面）１８Ｓの表示状態を示す図４乃至図３３の模式図を参照して説明する。なお、以下に説明する撮影手順プログラムの作成手順においては、制御部２４が自身に内蔵されているＲＯＭに予め格納されている撮影手順プログラム作成プログラムに従ってモニタ画面１８Ｓに所定の表示を行ない、これに対して操作部２５に配設されている種々のスイッチ，ボタン等をユーザが操作して設定を行なうことによって、順次的に対話形式で撮影手順プログラムが作成される。
【００７５】
なお、撮影手順プログラム作成プログラムは制御部２４に内蔵されているＲＯＭではなく、不揮発性半導体メモリ２９に予め記憶されていてもよい。このように、撮影手順プログラム作成プログラムが不揮発性半導体メモリ２９に記憶されている場合には、制御部２４は不揮発性半導体メモリ２９に記憶されている撮影手順プログラム作成プログラムに従って動作する。従って、既存のビデオカメラ１に不揮発性半導体メモリ２９を追加し、制御部２４が処理する制御プログラムを、操作部２５に対して所定の操作が行なわれた場合に、内蔵ＲＯＭではなく、不揮発性半導体メモリ２９に記憶されている撮影手順プログラム作成プログラムに従って制御部２４が動作するように書き換えるのみでよい。
【００７６】
図４は撮影手順プログラムを作成する際に最初にモニタ画面１８Ｓに表示される撮影手順プログラムの作成メニュー画面を示す模式図である。このメニュー画面では、テンプレートを使用するか、ユーザが自分で個々の設定を行なって撮影手順プログラムを作成するかを選択すると同時に、静止画モード又は動画モードのいずれの撮影手順プログラムを作成するかを選択することができる。このメニュー画面においてユーザが操作部２５を操作してたとえば「自分でプログラムする」及び「静止画モード」を選択すると、制御部２４は図５に示すように静止画モードでユーザ自身が撮影手順プログラムを作成するための表示をモニタ画面１８Ｓに行なう。
【００７７】
この図５に示す静止画モードでユーザが撮影手順プログラムを自身で作成するための画面では、「撮影回数」、「露出」、「ピント」、「ズーム（倍率）」、「フラッシュ（使用するか否か）」等の設定をユーザが行なうことができる。まずたとえば「撮影回数」をユーザが操作部２５を操作して選択すると制御部２４は図６に示すように撮影回数を設定するための詳細設定の表示をモニタ画面１８Ｓに行なう。
【００７８】
この図６に示す撮影回数の詳細設定の画面では、「撮影回数」と、秒単位での「撮影間隔」とをユーザが操作部２５を操作することによって設定することが可能である。但し、撮影回数として「０」が設定された場合には、ビデオカメラ１のその時点の状態（バッテリ残量，静止画メモリ２１Ｍの記憶容量の残量等）に応じて最大限の撮影が行なわれる。なお、図６に示す例では、撮影回数が１０回に、撮影間隔が１０秒にそれぞれ設定されている。従って、撮影手順プログラムによる制御が開始されると、１０秒間隔で１０回の静止画撮影が行なわれることになる。
【００７９】
この撮影回数の詳細設定が終了すると、制御部２４は図７に示すように露出を設定するための詳細設定の表示をモニタ画面１８Ｓに行なう。
【００８０】
この図７に示す露出の詳細設定の画面では、「オート（自動露出）」、「固定」、「毎回指定する」のいずれかの選択と、ブラケットの設定とが可能である。オートが選択された場合には静止画撮影が行なわれる都度、自動露出制御が行なわれる。「固定」が選択された場合には絞り値とシャッタ（シャッタスピード）とをユーザが操作部２５を操作して自身で予め設定しておく。図７に示す例では、絞りがＦ＝２．８に、シャッタスピードが１／２５０にそれぞれ設定されているので、「固定」が選択された場合には撮影が行なわれる都度、これらの値に従って撮影が行なわれる。また「毎回指定する」が選択された場合は後述する図８に示す詳細設定のための画面が表示される。
【００８１】
なお、ブラケットとは１回の静止画撮影において、露出を変えて複数の画像を撮影することである。この図７に示す例では１回の静止画撮影に際して３枚の画像が露出を±０．５ずつ変えて、具体的にはオートの場合であっても固定の場合であっても、設定値で１枚、＋０．５だけ露出オーバーで１枚、−０．５だけ露出アンダーで１枚の計３枚の画像が撮影される。
【００８２】
「毎回指定する」が選択された場合、制御部２４は図８に示すように各撮影時点での露出を設定するための詳細設定の表示をモニタ画面１８Ｓに行なう。この図８に示す各撮影時点での露出の設定のための詳細設定の画面では、先にユーザが設定した撮影回数に応じて各撮影回数目毎に絞り値とシャッタスピードとの設定が可能である。なお、図８のモニタ画面１８Ｓの最下端部に示されている下向きの三角形は画面に表示しきれない部分が存在しており、スクロールにより表示が可能であることを示している（他のモニタ画面１８Ｓの模式図においても同様である）。図８に示す例では絞り値及びシャッタスピード共に全て同一の値が設定されているが、これはデフォルト値である。従って、ユーザは操作部２５を操作することによって、各撮影回数目の絞り値及びシャッタスピードを任意に変更設定することができる。
【００８３】
以上のようにして露出の詳細設定が終了すると、制御部２４は図９に示すようにピントを設定するための詳細設定の表示をモニタ画面１８Ｓに行なう。
【００８４】
この図９に示すピントの詳細設定の画面では、「オート（オートフォーカス）」、「毎回変える」、「固定」のいずれかを選択することが可能ある。「オート」が選択された場合には静止画撮影が行なわれる都度、オートフォーカス制御が行なわれる。「固定」が選択された場合には「オートフォーカスを解除してピントを合わせて下さい」と表示されているように、ユーザが予め手動でピント合わせを行なった状態に固定される。更に、「毎回変える」が選択された場合は制御部２４は図１０に示すようにピントの各回の設定を行なうための詳細設定の表示をモニタ画面１８Ｓに行なう。
【００８５】
この図１０に示す各撮影時点でのピントの設定を行なうための詳細設定の画面では、先にユーザが設定した撮影回数に応じて各撮影回数目毎にピントが合わされるべき距離の設定が可能である。なお、図１０に示す例では全て同一の値が設定されているが、これはデフォルト値である。従って、ユーザは操作部２５を操作することによって、各撮影回数目にピントが合わされるべき距離を任意に変更設定することができる。
【００８６】
以上のようにしてピントの詳細設定が終了すると、制御部２４は図１１に示すようにズーム倍率を設定するための詳細設定の表示をモニタ画面１８Ｓに行なう。
【００８７】
この図１１に示すズーム倍率の詳細設定の画面では、「固定」、「変える」のいずれかの選択が可能である。「固定」が選択された場合には撮影開始前にユーザが手動で（具体的には、ズームボタン２５ＺＴ，２５ＺＷの操作による）ズーム倍率を設定する。「変える」が選択された場合には更に、「最初と最後を指定する」、「毎回指定する」のいずれかの選択が可能である。「最初と最後を指定する」が選択された場合、先にユーザが設定した撮影回数の最初の撮影時点でのズーム倍率と最後の撮影時点でのズーム倍率とが指定可能である。この場合、先にユーザが設定した撮影回数の最初の撮影時点から最後の撮影時点までの間にズーム倍率が徐々に変えられる。このような設定はたとえば、植物の成長を記録するような場合に、撮影開始時点においては種子を撮影することになるのでズーム倍率を大とし、植物が成長するに伴なってズーム倍率を小さくして常時全体を撮影することを可能にする、というような利用方法が考えられる。
【００８８】
「毎回指定する」が選択された場合は制御部２４は図１２に示すようにズーム倍率の各回の設定を行なうための詳細設定の表示をモニタ画面１８Ｓに行なう。
【００８９】
この図１２に示すズーム倍率を毎回指定するための詳細設定の画面では、先にユーザが設定した撮影回数に応じて各撮影回数目毎にズーム倍率の設定が可能である。なお、図１２に示す例では全て同一の値が設定されているが、これはデフォルト値である。従って、ユーザは操作部２５を操作することによって、各撮影回数目のズーム倍率を任意に変更設定することができる。
【００９０】
以上のようにしてズーム倍率の詳細設定が終了すると、制御部２４は図１３に示すようにフラッシュを使用するか否かを設定するための詳細設定の表示をモニタ画面１８Ｓに行なう。
【００９１】
この図１３に示すフラッシュを使用するか否かの詳細設定の画面では、「使用しない」、「毎回使用する」、「使用する回を指定する」のいずれかの選択が可能である。「使用しない」が選択された場合には全ての撮影時点においてフラッシュは使用されない。「毎回使用する」が選択された場合には全ての撮影時点においてフラッシュが使用される。「使用する回を指定する」が選択された場合は制御部２４は図１４に示すようにフラッシュを使用するか否かを各回毎に設定するための詳細設定の表示をモニタ画面１８Ｓに行なう。
【００９２】
この図１４に示すフラッシュを使用するか否かを毎回指定するための詳細設定の画面では、先にユーザが設定した撮影回数に応じて各撮影回数目毎にフラッシュを使用するか否かの設定が可能である。ユーザは操作部２５を操作することによって、各撮影回数目にフラッシュを使用するか否かを任意に設定することができる。
【００９３】
静止画モードが選択されている場合には、以上で設定が終了する。この結果、制御部２４はモニタ画面１８Ｓにたとえば図１５の模式図に示すように、撮影手順プログラムとしてプログラムされた撮影手順を具体的に表示する。この図１５に示す例では、１回目の撮影は、撮影手順プログラムに従って撮影が開始される時点に絞り値がＦ＝２．８，シャッタスピードが１／２５０，ピントがオートフォーカス，ズーム倍率が固定（撮影開始前にユーザが手動で設定したズーム倍率），フラッシュは使用しない、という設定で行なわれることが示されている。２回目の撮影は、撮影手順プログラムに従って撮影が開始された時点から１０秒後に（即ち、１０秒間隔で）、絞り値がＦ＝５．６，シャッタスピードが１／１２５，ピントがオートフォーカス，ズーム倍率が固定，フラッシュは使用しない、という設定で行なわれることが示されている。以下、ユーザが設定した撮影回数だけ、それぞれに設定されている条件がモニタ画面１８Ｓに表示されるので、ユーザは自身が設定して作成した撮影手順プログラムによってどのような手順で撮影が行なわれるのかを確認することが可能である。
【００９４】
前述した図４に示すメニュー画面においてユーザが操作部２５を操作してたとえば「自分でプログラムする」及び「動画モード」を選択すると、制御部２４は図１６に示すように動画モードでユーザ自身が撮影手順プログラムを作成するための表示をモニタ画面１８Ｓに行なう。
【００９５】
この図１６に示す動画モードでユーザが撮影手順プログラムを自身で作成するための画面では、「撮影時間」、「露出」、「ピント」、「ズーム（倍率）」、「ライト（使用するか否か）」，「マイク（使用するか否か）」等の設定をユーザが行なうことができる。まずたとえば「撮影時間」をユーザが操作部２５を操作して選択すると制御部２４は図１７に示すように撮影時間を設定するための詳細設定の表示をモニタ画面１８Ｓに行なう。
【００９６】
この図１７に示す撮影時間の詳細設定の画面では、時刻で設定するか、時間（撮影手順プログラムによる撮影開始時点からの経過時間）で設定するか、のいずれかをユーザが操作部２５を操作することによって選択することが可能である。なお、時間で設定することが選択されている場合、開始として「０」が設定された場合には撮影手順プログラムによる撮影が開始された時点で１回目の撮影が行なわれ、終了として「０」が設定された場合にはビデオカメラ１のその時点の状態（バッテリ残量，動画メモリ２１Ｍの記憶容量の残量等）に応じて最大限の撮影が行なわれる。
【００９７】
なお、図１７に示す例は１回目の撮影の際の設定のための画面であるが、時刻で設定する場合及び時間で設定する場合のいずれにおいても、「２回目を設定する」との表示が行なわれる。従ってユーザが操作部２５の操作により「２回目を設定する」を選択すれば、２回目の撮影の際の設定を行なうことが可能である。そして、２回目の設定のための画面には「３回目を設定する」との表示が行なわれる。以下、同様に次の回の撮影を行なうか否かをユーザに問い合わせる表示が行なわれるので、ユーザがそれを選択すれば、ユーザが希望する撮影回数を設定することが可能である。なお、ユーザが「次へ」を操作部２５の操作により選択すれば、その時点までに設定された撮影回数がユーザによる撮影指定回数となる。従って、図１７に示す画面では１回目の撮影時間が設定されているので、この画面でユーザが「次へ」を操作部２５の操作により選択すれば、ユーザは１回のみ撮影を行なうように設定することができる。
【００９８】
この撮影回数の詳細設定が終了すると、制御部２４は図１８に示すように露出を設定するための詳細設定の表示をモニタ画面１８Ｓに行なう。なお、以下においては時刻で設定することが選択された場合について説明する。
【００９９】
この図１８に示す露出の詳細設定の画面では、１回目の撮影の際に「オート（自動露出」、「固定」、「詳細指定」のいずれかを選択することが可能である。「オート」が選択された場合には動画撮影が行なわれる都度、自動露出制御が行なわれる。「固定」が選択された場合にはユーザが操作部２５を操作して自身で予め設定した絞り値とシャッタ（シャッタスピード）とにより撮影が行なわれる。図７に示す例では、絞りがＦ＝２．８に、シャッタスピードが１／２５０にそれぞれ設定されているので、「固定」が選択された場合にはこれらの値で露出が設定される。また、「詳細指定」が選択された場合は図１９に示す画面が表示される。
【０１００】
「詳細指定」が選択された場合、制御部２４は図１９に示すように、１回目の撮影が行なわれる間の露出を設定するための詳細設定の表示をモニタ画面１８Ｓに行なう。この図１９に示す１回目の撮影の際の露出の設定のための詳細設定の画面では、先にユーザが設定した１回目の撮影の開始時点から終了時点までの間において、時間別に絞り値とシャッタスピードとの設定が可能である。図１９に示す例では、12：00（１２時００分）から13：00までの１回目の撮影の間において、12：00から12：30までの間は絞り値がＦ＝２．８にシャッタスピードが１／２５０に、12：30から13：00までの間は絞り値がＦ＝５．６にシャッタスピードが１／１２５にそれぞれ設定されている。このように、ユーザは操作部２５を操作することによって、各回の撮影の間により詳細に露出値、具体的には絞り値及びシャッタスピードを任意に設定することができる。
【０１０１】
以上のようにして１回目の撮影の際の露出の詳細設定が終了すると、制御部２４は２回目の撮影の際の露出の詳細のための画面をモニタ画面１８Ｓに行なうが、基本的には上述の図１９に示した画面と同様である。ユーザはこのようにして、先に設定した全ての撮影回数について上述のような露出の詳細設定を行なうことができる。露出の設定が終了すると制御部２４は図２０に示すようにピントを設定するための詳細設定の表示をモニタ画面１８Ｓに行なう。
【０１０２】
この図２０に示すピントの詳細設定の画面では、「オート（オートフォーカス）」、「固定」、「詳細指定」のいずれかを選択することが可能ある。「オート」が選択された場合には動画撮影が行なわれる都度、オートフォーカス制御が行なわれる。固定が選択された場合には「オートフォーカスを解除してピントを合わせて下さい」と表示されているように、ユーザが予め手動でピント合わせを行なった状態に固定されて各回の撮影が行なわれる。更に、「詳細指定」が選択された場合は制御部２４は図２１に示すようにピントを各回の撮影の際に詳細指定するための表示をモニタ画面１８Ｓに行なう。
【０１０３】
「詳細指定」が選択された場合、制御部２４は図２１に示すように、１回目の撮影が行なわれる間のピントを設定するための詳細設定の表示をモニタ画面１８Ｓに行なう。この図２１に示す１回目の撮影の際のピントの設定のための詳細設定の画面では、先にユーザが設定した１回目の撮影の開始時点から終了時点までの間において、時間別にピントの設定が可能である。図２１に示す例では、12：00から13：00までの１回目の撮影の間において、12：00から12：30までの間はピント（合焦距離）が１００ｃｍに、12：30から13：00までの間はピントが１５０ｃｍにそれぞれ設定されている。このように、ユーザは操作部２５を操作することによって、各回の撮影の間により詳細にピントを任意に設定することができる。
【０１０４】
以上のようにして１回目の撮影の際のピントの詳細設定が終了すると、制御部２４は２回目の撮影の際の露出の詳細のための画面をモニタ画面１８Ｓに行なうが、基本的には上述の図２１に示した画面と同様である。ユーザはこのようにして、先に設定した全ての撮影回数について上述のようなピントの詳細設定を行なうことができる。ピントの設定が終了すると制御部２４は図２２に示すようにズーム倍率を設定するための詳細設定の表示をモニタ画面１８Ｓに行なう。
【０１０５】
この図２２に示すズーム倍率の詳細設定の画面では、「固定」、「詳細指定」のいずれかを選択することが可能ある。「固定」が選択された場合には「撮影前に手動でズームしてください」と表示されているように、ユーザが予め手動で（具体的には、ズームボタン２５ＺＴ，２５ＺＷの操作による）ズーム倍率を設定した状態に固定されて各回の撮影が行なわれる。また、「詳細指定」が選択された場合は制御部２４は図２３に示すようにズーム倍率を各回の撮影の際に詳細設定するための表示をモニタ画面１８Ｓに行なう。
【０１０６】
「詳細指定」が選択された場合、制御部２４は図２３に示すように、１回目の撮影が行なわれる間のズーム倍率を設定するための詳細設定の表示をモニタ画面１８Ｓに行なう。この図２３に示す１回目の撮影の際のズーム倍率の設定のための詳細設定の画面では、先にユーザが設定した１回目の撮影の開始時点から終了時点までの間において、時間別にズーム倍率の設定が可能である。図２３に示す例では、12：00から13：00までの１回目の撮影の間において、12：00から12：15までの間はズーム倍率が１．０倍に、12：15から12：30までの間はズーム倍率が２．０倍に、12：30から13：00までの間はズーム倍率が３．０倍にそれぞれ設定されている。このように、ユーザは操作部２５を操作することによって、各回の撮影の間により詳細にズーム倍率を任意に設定することができる。
【０１０７】
以上のようにして１回目の撮影の際のズーム倍率の詳細設定が終了すると、制御部２４は２回目の撮影の際の露出の詳細のための画面をモニタ画面１８Ｓに行なうが、基本的には上述の図２３に示した画面と同様である。ユーザはこのようにして、先に設定した全ての撮影回数について上述のようなズーム倍率の詳細設定を行なうことができる。ズーム倍率の設定が終了すると制御部２４は図２４に示すようにビデオライト２６Ｌを使用するか否かを設定するための詳細設定の表示をモニタ画面１８Ｓに行なう。
【０１０８】
この図２４に示すビデオライト２６Ｌを使用するか否かの詳細設定の画面では、「使用しない」、「必ず使用する」、「詳細指定」のいずれかを選択することが可能ある。「使用しない」が選択された場合にはビデオライト２６Ｌは一切使用されない。「必ず使用する」が選択された場合には各回の撮影の際にビデオライト２６Ｌが必ず点灯される。また、「詳細指定」が選択された場合は制御部２４は図２５に示すようにビデオライト２６Ｌを使用するか否かを各回の撮影の際に詳細設定するための表示をモニタ画面１８Ｓに行なう。
【０１０９】
「詳細指定」が選択された場合、制御部２４は図２５に示すように、１回目の撮影が行なわれる間のビデオライト２６Ｌのオン／オフ、即ちビデオライト２６Ｌを使用するか否かを設定するための詳細設定の表示をモニタ画面１８Ｓに行なう。この図２５に示す１回目の撮影の際のビデオライト２６Ｌのオン／オフの設定のための詳細設定の画面では、先にユーザが設定した１回目の撮影の開始時点から終了時点までの間において、時間別にビデオライト２６Ｌを使用するか否かの設定が可能である。図２５に示す例では、12：00から13：00までの１回目の撮影の間において、12：00から12：15までの間はビデオライト２６Ｌを使用せず、12：15から12：30までの間はビデオライト２６Ｌを使用し、12：30から13：00までの間は再度ビデオライト２６Ｌを使用しないことがそれぞれ設定されている。このように、ユーザは操作部２５を操作することによって、各回の撮影の間により詳細にビデオライト２６Ｌを使用するか否かを任意に設定することができる。
【０１１０】
以上のようにして１回目の撮影の際にビデオライト２６Ｌを使用するか否かの詳細設定が終了すると、制御部２４は２回目の撮影の際にビデオライト２６Ｌを使用するか否かの詳細設定のための画面をモニタ画面１８Ｓに行なうが、基本的には上述の図２５に示した画面と同様である。ユーザはこのようにして、先に設定した全ての撮影回数について上述のようなビデオライト２６Ｌを使用するか否かの詳細設定を行なうことができる。ビデオライト２６Ｌを使用するか否かの設定が終了すると制御部２４は図２６に示すようにマイクロフォン２８を使用するか否か、換言すれば録音を行なうか否かを設定するための詳細設定の表示をモニタ画面１８Ｓに行なう。
【０１１１】
この図２６に示すマイクロフォン２８を使用するか否かの詳細設定の画面では、「使用しない」、「必ず使用する」、「詳細指定」のいずれかを選択することが可能ある。「使用しない」が選択された場合にはマイクロフォン２８は一切使用されない。「必ず使用する」が選択された場合には各回の撮影の際にマイクロフォン２８が必ず使用されて録音が同時に行なわれる。また、「詳細指定」が選択された場合は制御部２４は図２７に示すようにマイクロフォン２８を使用するか否かを各回の撮影の際に詳細設定するための表示をモニタ画面１８Ｓに行なう。
【０１１２】
「詳細指定」するが選択された場合、制御部２４は図２７に示すように、１回目の撮影が行なわれる間のマイクロフォン２８のオン／オフ、即ちマイクロフォン２８を使用するか否か（録音を行なうか否か）を設定するための詳細設定の表示をモニタ画面１８Ｓに行なう。この図２７に示す１回目の撮影の際のマイクロフォン２８のオン／オフの設定のための詳細設定の画面では、先にユーザが設定した１回目の撮影の開始時点から終了時点までの間において、時間別にマイクロフォン２８を使用するか否かの設定が可能である。図２７に示す例では、12：00から13：00までの１回目の撮影の間において、12：00から12：15までの間はマイクロフォン２８を使用し（録音を行ない）、12：15から13：00までの間はマイクロフォン２８を使用しない（録音を行なわない）ことがそれぞれ設定されている。このように、ユーザは操作部２５を操作することによって、各回の撮影の間により詳細にマイクロフォン２８を使用するか否かを任意に設定することができる。
【０１１３】
以上のようにして１回目の撮影の際にマイクロフォン２８を使用するか否かの詳細設定が終了すると、制御部２４は２回目の撮影の際にマイクロフォン２８を使用するか否かの詳細設定のための画面をモニタ画面１８Ｓに行なうが、基本的には上述の図２７に示した画面と同様である。ユーザはこのようにして、先に設定した全ての撮影回数について上述のようなマイクロフォン２８を使用するか否かの詳細設定を行なうことができる。
【０１１４】
動画モードが選択されている場合には、以上で設定が終了する。この結果、制御部２４はモニタ画面１８Ｓにたとえば図２８の模式図に示すように、撮影手順プログラムとしてプログラムされた撮影手順を具体的に表示する。この図２８に示す例では、１回目の撮影は、撮影手順プログラムに従って時刻12：00に絞り値がＦ＝２．８，シャッタスピードが１／２５０，ピント（合焦距離）が１００ｃｍ，ズーム倍率が１．０倍，ビデオライト２６Ｌが使用されない、マイクロフォン２８が使用されないという設定で撮影が開始されることが示されている。そして、露出は12：30から13：00までの間は絞り値がＦ＝５．６，シャッタスピードが１／１２５に変更され、ピントは12：30から13：00までの間は合焦位置が１５０ｃｍに変更され、ズーム倍率は12：15から12：30までは２．０倍に、12：30から13：00までは３．０倍にそれぞれ変更され、ビデオライト２６Ｌは12：15から12：30までは点灯され、12：30から13：00までは消灯され、マイクロフォン２８は12：15から12：30まではオンされ、12：30から13：00まではオフされる、という設定で１回目の撮影が行なわれることが示されている。
【０１１５】
２回目の撮影は、撮影手順プログラムに従って時刻14：00に絞り値がＦ＝２．８，シャッタスピードが１／２５０，ピントが１００ｃｍ等の設定で撮影が開始されることが示されている。
【０１１６】
ところで、上述した撮影手順プログラムの作成手順を利用するにはある程度の写真関係の知識を有している必要があるので、本発明に係る撮影装置であるビデオカメラ１では、予め用意されているテンプレートを利用して簡単に撮影手順プログラムを作成することも可能である。図２９は図４に示したモニタ画面１８Ｓ上でテンプレートを使用するをユーザが操作部２５の操作によって選択した場合に制御部２４によるモニタ画面１８Ｓの表示状態を示す模式図である。
【０１１７】
この図２９に示す例では、いずれかのモードを選択することと、それぞれのモードにおいて予約撮影を行なうためのテンプレート又はインターバル撮影を行なう場合のテンプレートをユーザが選択することが可能である。まず、ユーザが操作部２５を操作して静止画モードでインターバル撮影を選択した場合には、制御部２４は図３０の模式図に示すような表示をモニタ画面１８Ｓに行なう。
【０１１８】
この図３０に示す例では、静止画モードでインターバル撮影を行なうために必要な、撮影間隔，撮影回数，露出，ピント，ズーム，フラッシュの各選択項目を制御部２４がモニタ画面１８Ｓに表示する。ユーザは撮影間隔，撮影回数に所望の数値を入力し、露出，ピント，ズームをオートにするか手動にするかを選択する。露出及びズームを手動にすることを選択した場合にはそれぞれ所望の数値を入力し、ピント及びズームを固定にすることを選択した場合にはそれぞれ撮影前に手動で調整する。また、フラッシュに関してはオート，使用する，使用しないのいずれかを選択する。
【０１１９】
以上により、静止画モードでインターバル撮影を行なう場合のテンプレートの設定が完了する。
【０１２０】
また図２９に示す画面でユーザが操作部２５を操作して静止画モードで予約撮影を選択した場合には、制御部２４は図３１の模式図に示すような表示をモニタ画面１８Ｓに行なう。
【０１２１】
この図３１に示す例では、静止画モードで予約撮影を行なうために必要な、撮影時刻，露出，ピント，ズーム，フラッシュの各選択項目を制御部２４がモニタ画面１８Ｓに表示する。ユーザは撮影時刻に所望の数値（時刻）を入力し、露出，ピント，ズームをオートにするか手動にするかを選択する。露出及びズームを手動にすることを選択した場合にはそれぞれ所望の数値を入力し、ピント及びズームを固定にすることを選択した場合にはそれぞれ撮影前に手動で調整する。また、フラッシュに関してはオート，使用する，使用しないのいずれかを選択する。以上により、静止画モードで予約撮影を行なう場合のテンプレートの設定が完了する。                                                            
【０１２２】
また、ユーザが操作部２５を操作して動画モードでインターバル撮影を選択した場合には、制御部２４は図３２の模式図に示すような表示をモニタ画面１８Ｓに行なう。なお、動画でインターバル撮影を行なう場合には、所定時間間隔で１フレームずつの撮影が行なわれる。
【０１２３】
この図３２に示す例では、動画モードでインターバル撮影を行なうために必要な、撮影間隔，撮影回数，露出，ピント，ズーム，フラッシュの各選択項目を制御部２４がモニタ画面１８Ｓに表示する。ユーザは撮影間隔，撮影回数に所望の数値を入力し、露出，ピント，ズームをオートにするか手動にするかを選択する。露出及びズームを手動にすることを選択した場合にはそれぞれ所望の数値を入力し、ピント及びズームを固定にすることを選択した場合にはそれぞれ撮影前に手動で調整する。また、フラッシュに関してはオート，使用する，使用しないのいずれかを選択する。
【０１２４】
以上により、動画モードでインターバル撮影を行なう場合のテンプレートの設定が完了する。
【０１２５】
更に図２９に示す画面でユーザが操作部２５を操作して動画モードで予約撮影を選択した場合には、制御部２４は図３３の模式図に示すような表示をモニタ画面１８Ｓに行なう。
【０１２６】
この図３３に示す例では、動画モードで予約撮影を行なうために必要な、撮影開始時刻，撮影終了時刻，露出，ピント，ズーム，フラッシュ，マイクロフォン２８（マイクロフォン２８に関しては図３３ではスクロールする必要がある）の各選択項目を制御部２４がモニタ画面１８Ｓに表示する。ユーザは撮影開示時刻及び撮影終了時刻に所望の数値（時刻）を入力し、露出，ピント，ズームをオートにするか手動にするかを選択する。露出及びズームを手動にすることを選択した場合にはそれぞれ所望の数値を入力し、ピント及びズームを固定にすることを選択した場合にはそれぞれ撮影前に手動で調整する。また、フラッシュに関してはオート，使用する，使用しないのいずれかを選択する。更に、マイクロフォン２８に関しては図示されていないが、使用する，使用しないのいずれかを選択する。以上により、動画モードで予約撮影を行なう場合のテンプレートの設定が完了する。
【０１２７】
このように、テンプレートを使用する場合には、ユーザが自分で撮影手順プログラムを作成する場合に比してより詳細な設定はできないが、設定が必要な項目が１画面に表示される（スクロールが必要な場合はあり得る）ので、初心者であっても、また写真関係，プログラム関係の知識が比較的乏しいユーザにも簡単に撮影手順をプログラムすることが可能になる。
【０１２８】
いずれにしろ、上述のようにして作成された撮影手順プログラムはプログラム記憶手段としての不揮発性半導体メモリ２９に記憶される。従って、この不揮発性半導体メモリ２９に記憶されている撮影手順プログラムをユーザが操作部２５の所定の操作により起動させれば、本発明に係る撮影装置であるビデオカメラ１は撮影手順プログラムの内容に従って自動的に撮影を実行することはいうまでもないことである。
【０１２９】
なお、上述の実施の形態では本発明に係る撮影装置を動画を主として撮影するビデオカメラを静止画も撮影可能に構成したが、本発明は動画のみを撮影する装置にも、又逆に静止画のみを撮影する装置にも適用可能であることはいうまでもない。また、上述の実施の形態とは逆に、静止画を主として撮影するデジタルスチルカメラを動画をも撮影可能に構成した装置にも適用可能であることはいうまでもない。
【図面の簡単な説明】
【０１３０】
【図１】本発明に係る撮影装置の一実施の形態としてのビデオカメラの外観を示す模式的斜視図である。
【図２】本発明に係る撮影装置としてのビデオカメラの内部構成例を示すブロック図である。
【図３】本発明に係る撮影装置としてのビデオカメラの基本的な動作を説明するための制御部による処理手順を示すフローチャートである。
【図４】本発明に係る撮影装置としてのビデオカメラのための撮影手順プログラムを作成するための操作手順を説明する表示画面の例を示す模式図である。
【図５】本発明に係る撮影装置としてのビデオカメラのための撮影手順プログラムを作成するための操作手順を説明する表示画面の例を示す模式図である。
【図６】本発明に係る撮影装置としてのビデオカメラのための撮影手順プログラムを作成するための操作手順を説明する表示画面の例を示す模式図である。
【図７】本発明に係る撮影装置としてのビデオカメラのための撮影手順プログラムを作成するための操作手順を説明する表示画面の例を示す模式図である。
【図８】本発明に係る撮影装置としてのビデオカメラのための撮影手順プログラムを作成するための操作手順を説明する表示画面の例を示す模式図である。
【図９】本発明に係る撮影装置としてのビデオカメラのための撮影手順プログラムを作成するための操作手順を説明する表示画面の例を示す模式図である。
【図１０】本発明に係る撮影装置としてのビデオカメラのための撮影手順プログラムを作成するための操作手順を説明する表示画面の例を示す模式図である。
【図１１】本発明に係る撮影装置としてのビデオカメラのための撮影手順プログラムを作成するための操作手順を説明する表示画面の例を示す模式図である。
【図１２】本発明に係る撮影装置としてのビデオカメラのための撮影手順プログラムを作成するための操作手順を説明する表示画面の例を示す模式図である。
【図１３】本発明に係る撮影装置としてのビデオカメラのための撮影手順プログラムを作成するための操作手順を説明する表示画面の例を示す模式図である。
【図１４】本発明に係る撮影装置としてのビデオカメラのための撮影手順プログラムを作成するための操作手順を説明する表示画面の例を示す模式図である。
【図１５】本発明に係る撮影装置としてのビデオカメラのための撮影手順プログラムを作成するための操作手順を説明する表示画面の例を示す模式図である。
【図１６】本発明に係る撮影装置としてのビデオカメラのための撮影手順プログラムを作成するための操作手順を説明する表示画面の例を示す模式図である。
【図１７】本発明に係る撮影装置としてのビデオカメラのための撮影手順プログラムを作成するための操作手順を説明する表示画面の例を示す模式図である。
【図１８】本発明に係る撮影装置としてのビデオカメラのための撮影手順プログラムを作成するための操作手順を説明する表示画面の例を示す模式図である。
【図１９】本発明に係る撮影装置としてのビデオカメラのための撮影手順プログラムを作成するための操作手順を説明する表示画面の例を示す模式図である。
【図２０】本発明に係る撮影装置としてのビデオカメラのための撮影手順プログラムを作成するための操作手順を説明する表示画面の例を示す模式図である。
【図２１】本発明に係る撮影装置としてのビデオカメラのための撮影手順プログラムを作成するための操作手順を説明する表示画面の例を示す模式図である。
【図２２】本発明に係る撮影装置としてのビデオカメラのための撮影手順プログラムを作成するための操作手順を説明する表示画面の例を示す模式図である。
【図２３】本発明に係る撮影装置としてのビデオカメラのための撮影手順プログラムを作成するための操作手順を説明する表示画面の例を示す模式図である。
【図２４】本発明に係る撮影装置としてのビデオカメラのための撮影手順プログラムを作成するための操作手順を説明する表示画面の例を示す模式図である。
【図２５】本発明に係る撮影装置としてのビデオカメラのための撮影手順プログラムを作成するための操作手順を説明する表示画面の例を示す模式図である。
【図２６】本発明に係る撮影装置としてのビデオカメラのための撮影手順プログラムを作成するための操作手順を説明する表示画面の例を示す模式図である。
【図２７】本発明に係る撮影装置としてのビデオカメラのための撮影手順プログラムを作成するための操作手順を説明する表示画面の例を示す模式図である。
【図２８】本発明に係る撮影装置としてのビデオカメラのための撮影手順プログラムを作成するための操作手順を説明する表示画面の例を示す模式図である。
【図２９】本発明に係る撮影装置としてのビデオカメラのための撮影手順プログラムを作成するための操作手順を説明する表示画面の例を示す模式図である。
【図３０】本発明に係る撮影装置としてのビデオカメラのための撮影手順プログラムを作成するための操作手順を説明する表示画面の例を示す模式図である。
【図３１】本発明に係る撮影装置としてのビデオカメラのための撮影手順プログラムを作成するための操作手順を説明する表示画面の例を示す模式図である。
【図３２】本発明に係る撮影装置としてのビデオカメラのための撮影手順プログラムを作成するための操作手順を説明する表示画面の例を示す模式図である。
【図３３】本発明に係る撮影装置としてのビデオカメラのための撮影手順プログラムを作成するための操作手順を説明する表示画面の例を示す模式図である。
【符号の説明】
【０１３１】
１  ビデオカメラ
１０  光学系
１０Ｌ  レンズ群
１０Ｚ  ズーム／フォーカス機構
１０Ｉ  絞り機構
１０ＺＡ  アクチュエータ
１０ＩＡ  アクチュエータ１
１１  撮像デバイス
１１Ｄ  駆動回路１１Ｄ
１２  カメラ信号処理部
１３  ＮＴＳＣ（ＰＡＬ）信号処理部
１４  映像／音声符号化部
１５  映像／音声復号化部
１８  モニタ
１９  ビューファインダ
２１Ｒ  静止画記録部
２１Ｍ  静止画メモリ
２２  光ピックアップ
２４  制御部
２５  操作部
２５ＺＴ  テレボタン
２５ＺＷ  ワイドボタン
２６  照明ユニット２６
２６Ｌ  ビデオライト２６Ｌ
２６Ｆ  フラッシュ２６Ｆ
２８  マイクロフォン
２９  不揮発性半導体メモリ
【図１】
2006203691.tif 000003
【図２】
2006203691.tif 000004
【図３】
2006203691.tif 000005
【図４】
2006203691.tif 000006
【図５】
2006203691.tif 000007
【図６】
2006203691.tif 000008
【図７】
2006203691.tif 000009
【図８】
2006203691.tif 000010
【図９】
2006203691.tif 000011
【図１０】
2006203691.tif 000012
【図１１】
2006203691.tif 000013
【図１２】
2006203691.tif 000014
【図１３】
2006203691.tif 000015
【図１４】
2006203691.tif 000016
【図１５】
2006203691.tif 000017
【図１６】
2006203691.tif 000018
【図１７】
2006203691.tif 000019
【図１８】
2006203691.tif 000020
【図１９】
2006203691.tif 000021
【図２０】
2006203691.tif 000022
【図２１】
2006203691.tif 000023
【図２２】
2006203691.tif 000024
【図２３】
2006203691.tif 000025
【図２４】
2006203691.tif 000026
【図２５】
2006203691.tif 000027
【図２６】
2006203691.tif 000028
【図２７】
2006203691.tif 000029
【図２８】
2006203691.tif 000030
【図２９】
2006203691.tif 000031
【図３０】
2006203691.tif 000032
【図３１】
2006203691.tif 000033
【図３２】
2006203691.tif 000034
【図３３】
2006203691.tif 000035